(57)【要約】【課題】手洗器の給排水管立ち上げ直しによる施工手間の軽減と相番工事による改修工事の手待ち時間の低減、さらにそれらによる施工費の軽減を可能としたトイレユニットを提供することを目的とする。【解決手段】ロータンクに水を給水するための給水管を分岐させて洋風大便器の側方または後方の壁面に配設される手洗器へ給水し、手洗器の排水管を大便器本体排水口と設備側排水管とを接続する部材に接続したので、トイレ改修時に手洗器を新たに設ける場合において、手洗器の給排水管立ち上げ直しによる施工手間の軽減と相番工事による改修工事の手待ち時間の低減とを実現できる。手洗器の排水管を前記接続する部材の近傍で上方向へ差し向けたので、前記接続する部材から手洗器の排水管への汚物の侵入が防止される。【選択図】　図１
2004003355.tif 000002
【特許請求の範囲】
【請求項１】
洗浄水を貯留するロータンクを後部に備える洋風大便器と、該ロータンクに水を給水するための給水管が設置されているトイレユニットにおいて、
前記給水管を分岐させて前記洋風大便器の側方の壁面に配設される手洗器に接続し、該手洗器の排水管を大便器本体排水口と設備側排水管とを接続する部材に接続しており、前記手洗器への給水管および前記手洗器の排水管が配管カバー中に配され、前記手洗器の排水管が前記接続する部材の近傍で上方向へ差し向けられていることを特徴とするトイレユニット。
【請求項２】
手洗器の排水管を、洋風大便器に内在する部材に接続していることを特徴とする請求項１に記載のトイレユニット。
【発明の詳細な説明】
【０００１】
【発明の属する技術分野】
本発明はトイレ改修の施工や洋風大便器の側方または後方の壁面に手洗器を配設するトイレユニットに係り、特にその施工手間を減らすことができるようにしたトイレユニットに関する。
【０００２】
【従来の技術】
大便器だけが設置されているトイレの改修時に、手洗器を新たに設ける場合、大便器と手洗器の給水管および排水管は別々であるため、手洗器の給排水管をトイレ内の床または壁を外し、床下または壁裏にある給水管、排水管から分岐させ、立上げ直す必要があった。
【０００３】
【発明が解決しようとする課題】
従来の技術では、トイレ改修時に手洗器を新たに設ける場合、手洗器の給排水管を新たに立ち上げ直す必要があった。立ち上げ直す場合、床または壁を外す必要があるが、その作業は通常工務店（大工）が行う場合が多い。一方、給排水管の立ち上げ直しやトイレユニットの取付けは水道工事店が行う場合が多く、相番工事となる。
本発明は上記の課題を解決するためになされたものであるが、その目的は手洗器の給排水管立ち上げ直しによる施工手間の軽減と相番工事による改修工事の手待ち時間の低減、さらにそれらによる施工費の軽減を可能としたトイレユニットを提供することである。
【０００４】
【課題を解決するための手段】
上記目的を達成するために請求項１では、洗浄水を貯留するロータンクを後部に備える洋風大便器と、該ロータンクに水を給水するための給水管が設置されているトイレユニットにおいて、前記給水管を分岐させて前記洋風大便器の側方の壁面に配設される手洗器に接続し、該手洗器の排水管を大便器本体排水口と設備側排水管とを接続する部材に接続しており、前記手洗器への給水管および前記手洗器の排水管が配管カバー中に配され、前記手洗器の排水管が前記接続する部材の近傍で上方向へ差し向けられている。ロータンクに水を給水するための給水管を分岐させて洋風大便器の側方または後方の壁面に配設される手洗器へ給水し、手洗器の排水管を大便器本体排水口と設備側排水管とを接続する部材に接続したので、手洗器の給排水管立ち上げ直しによる施工手間の軽減と相番工事による改修工事の手待ち時間の低減とを実現し、さらにそれらによる施工費の軽減を可能としたトイレユニットが提供できる。手洗器の排水管を前記接続する部材の近傍で上方向へ差し向けたので、前記接続する部材から手洗器の排水管への汚物の侵入が防止される。
【０００５】
請求項２では、手洗器の排水管を、洋風大便器に内在する部材に接続している。手洗器の排水管を、大便器本体排水口と設備側排水管とを接続する部材であって、洋風大便器に内在する部材に接続したので、手洗器用の排水管を別途立ち上げ直す必要がなく、施工手間の軽減となる。
【０００６】
【発明の実施の形態】
以上説明した本発明の構成・作用を一層明らかにするために、以下本発明の好適な実施例について説明する。
【０００７】
本発明の第１の実施例を図１を参照しながら説明する。図１では、トイレユニットは大便器と手洗器を図１のようにＬ字形カウンターを介して配置している。手洗器の排水は配管カバー１１内を室内で横引きされ、大便器キャビネット１３の前板パネル１２を貫通し、大便器キャビネット内につながっている。さらに大便器キャビネット１３内でトラップ１４を形成し、その先で大便器１５内へ排水されている。トラップ１４はこの位置でなく、手洗器直下に配しても良い。大便器１５内での排水する位置は大便器内の溜水（トラップ）より上流側（図示せず）に排水する場合と溜水（トラップ）中に排水する場合（図示せず）と溜水（トラップ）より下流側（図示せず）に排水する場合が考えられるが、溜水（トラップ）中に排水の場合、大便器のトラップが手洗器のトラップの役割を兼ねるため、手洗器のトラップ１４は不要となる。一方、給水側については止水栓１６にヘッダー１７をつなぎ、給水を３系統に分岐させる。その一給水管１８はロータンクへ、一給水管１９は手洗器給水栓へ、一給水管２０はウォシュレットへと接続されている。また給水管１８、１９、２０は共にヘッダー１７とカプラー方式で接続されるため、スパナ等の工具不要で接続できる。
【０００８】
本発明に係る手洗器排水管を大便器の溜水（トラップ）より下流側に接続する場合の実施例を図７、図８、図９を参照しながら説明する。手洗器の排水を大便器溜水（トラップ）より下流側に接続する際、図７の３３、３４、３５の位置に接続することが可能である。大便器がサイホン式の便器であった場合、手洗器の排水管を接続することは、洗浄時のサイホン作用を弱める方向にはたらく。特に３３のように大便器本体排水口３６直下に接続する場合が最も不利であるため、接続位置は極力排水口３６より遠い位置（３４、３５のような位置）にした方が有利である。
【０００９】
図８は排水芯が可変となる構造をもつ大便器である。部材が大便器に接続される大便器接続部材３７、現場カットにて長さが伸縮する部材３８、設備側排水管に接続される排水管接続部材３９の３パーツに分かれている。（３パーツ合わせて以降、排水アジャスターと呼ぶ）このような構造の便器に手洗の排水管を接続する場合、接続位置として、４０〜４３が考えられる。この場合も図７の場合と同様、便器洗浄機能面では、便器排水口３６から遠い位置での接続が有利である。
しかし４３で接続する場合、この位置は便器の排水位置により一定ではなく、手洗排水管にじゃばら管のような伸縮性のある管を使用しない限り、現場でのカットが生じ、施工手間となる。したがって４１の位置が施工面、便器洗浄機能面を考えた場合、最適の位置だと考えられる。
【００１０】
手洗排水を接続する際、図９に示すように手洗い器排水管４４は排水アジャスターから横方向に出す場合においても、出来るだけ近くで上方向に振ることが有利である。排水アジャスター内には汚物が流れるため、その進入を防ぐ効果があるからである。図７の３５の位置のように上から抜く場合においてはその問題はない。
【００１１】
一方、便器がサイホン式でない場合、サイホン効果の低減という要素がなくなるため、上記のように接続位置による便器洗浄機能の差はない。便器のトラップ本体が回転することによって洗浄機能を発揮する便器（図１０参照）に手洗排水を接続する場合もこの中に含まれる。
【００１２】
本発明に係る大便器の排水が壁抜きの場合の実施例を図１１、図１２を参照しながら説明する。図１１および図１２は壁排水仕様の便器を示す。抜き方向は後壁抜きのもの（図１１）と横壁抜きのもの（図１２）があるが、４５、４６の位置に手洗排水を接続することが可能であるとともに、大便器本体排水口から壁までの任意の位置で接続可能である。
【００１３】
本発明の第２の実施例を、図２を参照しながら説明する。この場合、ロータンク２２の水溜まり面よりも上に横引き排水管を接続する場合、手洗器２３のリップ２４の高さが手洗行為をするのに最適な高さ（７６０ｍｍ）を上回り、使い勝手が悪くなる。このためロータンクの水溜まり面よりも下に接続する必要があるが、ロータンクの水の中につないだ場合、ロータンク水溜まり面の高さまで手洗器に水が溜まってしまう。
【００１４】
これを解決するためのロータンクへの接続例とロータンクの構造の例を示す。（１）ロータンクのオーバーフロー管に接続する。（図示せず）（２）ロータンクへの直接接続では、図３に示すように、ロータンク内を仕切壁２６により仕切り、手洗器排水側に部屋２５を設ける。仕切壁２６には弁２７がついており、弁２８を開き、大便器洗浄を行い、部屋２９の水位が弁２７まで下がったとき、弁２７が開き、部屋２５内の水が部屋２９側から大便器へ排水される。つまり弁２７は部屋２５の水位が弁２７より上であり、かつ部屋２９の水位が弁２７より下にあるときに開き、部屋２５内の水を部屋２９へ排出するしくみになっている。またそれ以外の状態のときには、ばね力などにより、閉じた状態になる構造である。さらに大便器洗浄がされない状態で、手洗器排水が部屋２５に溜まっていくと、部屋２５の容量をこえる場合が考えられるため、オーバーフロー管３０を備える。（３）ロータンクへの直接接続の別の例を図４に示す。（２）同様、ロータンク内が２室に分かれている。手洗器排水が接続される部屋２５の排水は大便器洗浄により浮玉３１が下に下がる力により弁３２を持ち上げ、排水されるしくみになっている。また（２）同様、オーバーフロー管３０を備える。
【００１５】
本発明の第３の実施例を、図５を参照しながら説明する。図５では、ロータンクと便器の接続部に手洗い器の配水管を接続している。
【００１６】
本発明に係る他の実施例を図６を参照しながら説明する。第１実施例では大便器と手洗器を図１のようにＬ字形カウンターを介して配置しているが、手洗器２３を大便器１５と離して取付け、その間は配管カバー１１の中に横引き排水管２１および給水管１９を配しているものも可能である。
【００１７】
本発明に係る給水管先端部の分岐の実施例を図１３を参照しながら説明する。ロータンクへ水を給水するための給水管先端部５０に、ヘッダー５１が取付けられている。このヘッダー５１には給水用接続穴が、側部と上部に設けられている。
ヘッダー５１の給水用接続穴には、ロータンクへの給水管や手洗い器への給水管接続用のカプラー５２、５３、５４が取付けられている。これらのカプラー５２、５３、５４には、ロータンクや手洗い器への給水管の他に、人体の局部洗浄用の機器が取付けられた便座等に給水する給水管を接続することができる。特に、カプラー５３は、ヘッダー５１の側部に、回転自在に設けられている。カプラー５４も同様に設けることができる。これまで、施工環境によっては、ヘッダーの側部からしか給水管が引き出せない場合や上部からしか給水管が引き出せない場合等様々であり、複数の環境に合ったヘッダーを準備しておかなければならなかったが、本発明のヘッダーを用いることにより、準備の手間が省け、施工性が向上する。
【００１８】
【発明の効果】
本発明は上記構成により次の効果を発揮する。トイレ改修の施工や洋風大便器の側方または後方の壁面に手洗器を配設する場合において、手洗い器用として給排水管を立ち上げ直す必要がなく、給排水管の立ち上げ直し時の壁や床を外す工事（大工工事）もないため、その施工手間の軽減が図れ、また水道工事と大工工事の相番工事による手待ち時間の軽減が図れる。さらにそれらにより施工費の削減ができることが本発明の効果である。
【図面の簡単な説明】
【図１】この発明の第１実施例を示す斜視図
【図２】この発明の第２実施例を示す斜視図
【図３】この発明の第２実施例の内容を示す図
【図４】この発明の第２実施例の内容を示す図
【図５】この発明の第２実施例を内容を示す図
【図６】この発明の第３実施例を示す斜視図
【図７】本発明に係る手洗器排水管を大便器の溜水（トラップ）より下流側に接続する位置を表す図
【図８】本発明に係る手洗器排水管を排水芯が可変となる大便器の溜水（トラップ）より下流側に接続する位置を表す図
【図９】本発明に係る排水芯が可変となる排水アジャスター部の斜視図
【図１０】便器のトラップ本体が回転することによって洗浄機能を発揮する便器の参考図
【図１１】本発明に係る大便器の排水が後壁抜きのものを表す図
【図１２】本発明に係る大便器の排水が横壁抜きのものを表す図
【図１３】本発明に係る給水管先端部に取付けるヘッダーを表す図
【符号の説明】
１１…配管カバー
１２…前板パネル
１３…大便器キャビネット
１４…トラップ
１５…大便器
１６…止水栓
１７…ヘッダー
１８…給水管
１９…給水管
２０…給水管
２１…横引き排水管
２２…ロータンク
２３…手洗器
２４…リップ
２５…部屋
２６…仕切壁
２７…弁
２８…弁
２９…部屋
３０…オーバーフロー管
３１…浮玉
３２…弁
３３，３４，３５…手洗い器排水管接続位置
３６…排水口
３７…大便器接続部材
３８…排水アジャスター
３９…排水管接続部材
４０，４１，４２，４３，４５，４６…手洗い器排水管接続位置
４４，４７，４８，４９…手洗い器排水管
５０…給水管先端部
５１…ヘッダー
５２、５３、５４…カプラー
【図１】
2004003355.tif 000003
【図２】
2004003355.tif 000004
【図３】
2004003355.tif 000005
【図４】
2004003355.tif 000006
【図５】
2004003355.tif 000007
【図６】
2004003355.tif 000008
【図７】
2004003355.tif 000009
【図８】
2004003355.tif 000010
【図９】
2004003355.tif 000011
【図１０】
2004003355.tif 000012
【図１１】
2004003355.tif 000013
【図１２】
2004003355.tif 000014
【図１３】
2004003355.tif 000015